(57)【特許請求の範囲】
【請求項１】
少なくとも端子形成面をなす端子形成部が金属からなる電池ケースと、
金属材からなり、第１外部接続端子を接続させる第１端子部を、上記端子形成面の上方に有する第１電極端子部材と、
金属材からなり、上記第１電極端子部材と離間し絶縁されてなり、第２外部接続端子を接続させる第２端子部を、上記端子形成面の上方に有する第２電極端子部材と、
絶縁材からなり、上記第１電極端子部材と上記端子形成部との間に介在し、両者を絶縁させると共に、上記第１端子部に上記第１外部接続端子を着脱する際に、上記端子形成面に沿う方向に生じる上記第１電極端子部材の移動を制限して、上記第１電極端子部材を保持してなる第１端子絶縁部材と、
絶縁材からなり、上記第２電極端子部材と上記端子形成部との間に介在し、両者を絶縁させると共に、上記第２電極端子部材を保持してなる第２端子絶縁部材と、
上記第１電極端子部材、上記第２電極端子部材、及び上記端子形成部と絶縁されて、上記端子形成部上で、上記第１端子絶縁部材と上記第２端子絶縁部材との間に介在してなる移動制限部材であって、
上記第１端子部に上記第１外部接続端子を着脱する際に、上記端子形成面に沿う方向に生じる、上記第１電極端子部材、及び、これを保持する上記第１端子絶縁部材の移動を、
上記第２端子絶縁部材と自身との係合、及び、自身と上記第１端子絶縁部材との係合により制限する形態を有してなる
移動制限部材と、を備える
電池。
【請求項２】
請求項１に記載の電池であって、
前記第１端子部は、第１雄ねじ部を含み、
前記第１端子絶縁部材は、前記第１電極端子部材に対し、上記第１雄ねじ部の軸線である第１軸線の周りにトルクを加えたときに、上記第１電極端子部材の回転移動を制限する形態で、上記第１電極端子部材を保持してなり、
前記移動制限部材は、上記第１電極端子部材の回転移動に伴って、上記第１端子絶縁部材に生じる移動を制限する形態を有してなる
電池。
【請求項３】
請求項１または請求項２に記載の電池であって、
前記第２端子絶縁部材は、
前記第２端子部に前記第２外部接続端子を着脱する際に、前記端子形成面に沿う方向に生じる前記第２電極端子部材の移動を制限して保持してなり、
前記移動制限部材は、
上記第２端子部に上記第２外部接続端子を着脱する際に、上記端子形成面に沿う方向に生じる、上記第２電極端子部材、及び、これを保持する上記第２端子絶縁部材の移動を、
前記第１端子絶縁部材と自身との係合、及び、自身と上記第２端子絶縁部材との係合により制限する形態を有してなる
電池。
【請求項４】
請求項３に記載の電池であって、
前記第２端子部は、第２雄ねじ部を含み、
前記第２端子絶縁部材は、前記第２電極端子部材に対し、上記第２雄ねじ部の軸線である第２軸線の周りにトルクを加えたときに、上記第１電極端子部材の回転移動を制限する形態で、上記第２電極端子部材を保持してなり、
前記移動制限部材は、上記第２電極端子部材の回転移動に伴って、上記第２端子絶縁部材に生じる移動を制限する形態を有してなる
電池。
【請求項５】
請求項１〜請求項４のいずれか１項に記載の電池を、それぞれ前記端子形成部を同方向に向けて、複数列置してなる組電池であって、
前記移動制限部材は、
上記電池のうち、自身が属する自己電池と、この自己電池に隣り合う電池のうち、少なくとも一方側に位置して隣り合う隣在電池との間に介在して、上記自己電池と上記隣在電池とを離間させて絶縁する離間絶縁部材を兼ねる
兼用部材である
組電池。
【請求項６】
請求項５に記載の組電池であって、
前記兼用部材は、
前記離間絶縁部材として、
前記自己電池の電池ケースである自己電池ケース、及び、前記隣在電池の電池ケースである隣在電池ケースの少なくともいずれかとの間に、冷媒を流通させる流通路を構成する形態を有してなる
組電池。
【請求項７】
請求項１〜請求項４のいずれか１項に記載の電池、あるいは、請求項５又は請求項６に記載の組電池を搭載した車両。
【請求項８】
請求項１〜請求項４のいずれか１項に記載の電池、あるいは、請求項５又は請求項６に記載の組電池を搭載した電池搭載機器。
【発明の詳細な説明】
【技術分野】
【０００１】
本発明は、電池ケースの上方に一部が配置された電極端子を備える電池、この電池を複数用いてなる組電池、この電池或いはこの組電池を搭載した車両及び電池搭載機器に関する。
【背景技術】
【０００２】
近年、携帯電話、ノート型パソコン、ビデオカムコーダなどのポータブル電子機器やハイブリッド電気自動車等の車両の普及により、これらの駆動用電源に用いられる電池の需要は増大している。
このような電池の中には、電池内部の発電要素と導通する電極端子を電池ケースの外側に設けて、この電極端子に外部接続端子を接続しているものがある。例えば、特許文献１では、電池ケースの外部に位置する金属製のボルト（電極端子）、電池ケースの内部から外部に向けて突出し、発電要素と導通する極柱、及び、ボルトと極柱とを電気的に接続させる金属製のボルト固定金具を備える電池（鉛蓄電池）が記載されている。この電池は、ボルト固定金具にボルト挿入口及び極柱挿入口を有する。このうち、ボルト挿入口には、その内側に雌ねじが形成してあるので、ボルトはそのボルト挿入口に固定される。一方、極柱挿入口には極柱が挿通され、極柱とボルト固定金具とが溶接によって互いに接合されている。
【０００３】
【特許文献１】特開２０００−１６４１９９号公報
【発明の開示】
【発明が解決しようとする課題】
【０００４】
ところで、特許文献１に記載の電池では、ボルトに外部接続端子を挿通してナットで締め付ける際、ボルトには、その軸線の周りにトルクがかかる。しかるに、このボルトはボルト固定金具に固定されているので、ボルトと共にボルト固定金具がボルトの軸線周りに共回りして移動しようとする。しかも、この電池では、ボルトの軸線が極柱の軸線と平行であるため、ボルト固定金具や極柱が、この極柱の軸線を中心として回転移動してしまう。すると、この電池において、ボルト固定金具を包囲して固定している封口剤が剥がれて、シール性が低下したり、ボルト固定金具と極柱との接合が不十分になるなどの不具合が発生する虞がある。
【０００５】
そこで、本発明者らは、ボルト及びボルト固定金具を、端子絶縁部材で保持すると共に、この端子絶縁部材を電池ケース上に固定する電池を考案した。この電池では、電池ケースに凹部を形成する一方、端子絶縁部材にその凹部と嵌合可能な凸部を設けて、嵌合によって、ボルトやボルト固定金具を電池ケース上に固定する。この電池では、端子絶縁部材が電池ケースの凹部に嵌合しているので、ボルトの軸線の周りにトルクがかかっても、ボルトやボルト固定金具、これを保持する端子絶縁部材が、共回りなど電池ケースの平面に沿う方向へ移動するのを防止できる。
しかしながら、このように電池ケースに十分な深さの凹部を設けるのは、技術的に困難でコストがかかる。
【０００６】
本発明は、かかる問題に鑑みてなされたものであって、簡易な構成でありながら、電極端子に外部接続端子を接続させる場合に、電極端子やこれを固定する端子絶縁部材が移動するのを防止した電池を提供することを目的とする。また、複数の電池を有する組電池であって、各電池において、外部接続端子を接続させるにあたり、電極端子や端子絶縁部材が移動するのを防止すると共に、電池間の絶縁を確保できる組電池を提供することを目的とする。
【課題を解決するための手段】
【０００７】
そして、その解決手段は、少なくとも端子形成面をなす端子形成部が金属からなる電池ケースと、金属材からなり、第１外部接続端子を接続させる第１端子部を、上記端子形成面の上方に有する第１電極端子部材と、金属材からなり、上記第１電極端子部材と離間し絶縁されてなり、第２外部接続端子を接続させる第２端子部を、上記端子形成面の上方に有する第２電極端子部材と、絶縁材からなり、上記第１電極端子部材と上記端子形成部との間に介在し、両者を絶縁させると共に、上記第１端子部に上記第１外部接続端子を着脱する際に、上記端子形成面に沿う方向に生じる上記第１電極端子部材の移動を制限して、上記第１電極端子部材を保持してなる第１端子絶縁部材と、絶縁材からなり、上記第２電極端子部材と上記端子形成部との間に介在し、両者を絶縁させると共に、上記第２電極端子部材を保持してなる第２端子絶縁部材と、上記第１電極端子部材、上記第２電極端子部材、及び上記端子形成部と絶縁されて、上記端子形成部上で、上記第１端子絶縁部材と上記第２端子絶縁部材との間に介在してなる移動制限部材であって、上記第１端子部に上記第１外部接続端子を着脱する際に、上記端子形成面に沿う方向に生じる、上記第１電極端子部材、及び、これを保持する上記第１端子絶縁部材の移動を、上記第２端子絶縁部材と自身との係合、及び、自身と上記第１端子絶縁部材との係合により制限する形態を有してなる移動制限部材と、を備える電池である。
【０００８】
例えば、第１電極端子部材の第１端子部に第１外部接続端子の貫通孔を挿通し、さらにナットで締め付けるなどの手法により、第１端子部に第１外部接続端子を着脱する（接続あるいは脱離させる）ことがある。この際に、第１電極端子部材がナットと共回りするなど、第１電極端子部材が端子形成面に沿う方向に移動（平行移動あるいは回転移動）してしまうことがある。
【０００９】
これに対し、本発明の電池では、第１端子絶縁部材が、第１端子部に第１外部接続端子を着脱する際に生じる第１電極端子部材の移動を制限して保持している。
但し、例えば、第１端子部に第１外部接続端子を着脱する際、第１電極端子部材が、共回りなど、端子形成面に沿う方向へ移動しようとするために、この移動を制限している第１端子絶縁部材までもが、端子形成面に沿う方向へ移動しようとすることがある。
【００１０】
しかるに、本発明の電池では、これに加えて、第１絶縁端子部材と第２絶縁端子部材との間に介在する移動制限部材を備えている。この移動制限部材は、第１電極端子部材及び第１端子絶縁部材の移動を、第２端子絶縁部材とこの移動制限部材との係合、さらに、この移動制限部材と第１端子絶縁部材との係合により、制限する形態を有している。このため、この第１端子絶縁部材の移動のほか、これに保持されている第１電極端子部材の共回りなどの移動を適切に制限することができる。
このため、第１端子絶縁部材、あるいは、第１電極端子部材が、端子形成面に沿う方向に移動することにより、この第１電極端子部材と電池ケースの端子形成部との間のシール、あるいは、この第１電極端子部材が接続する第１導電部材と電池ケースの端子形成部との間のシールが不十分となる不具合を防止できる。
【００１１】
なお、移動制限部材は、第１電極端子部材、第２電極端子部材、及び端子形成部と絶縁されているものであり、自身を絶縁材（絶縁樹脂材、絶縁セラミックスなど）から構成することもできるが、その他、絶縁皮膜でコートされた金属材を用いることもできる。
また、第１電極端子部材、及び、第２電極端子部材としては、上記要件を満たすものあれば良い。例えば、第１端子部のほかに、これと一体に構成され、且つ電池ケース内に位置する部分を備えるもの（電池ケース内から延出して、一部が端子形成面の上方に配置されて第１端子部となっているもの）が挙げられる。また、第１電極端子部材の全部が端子形成面の上方に配置されているもの、例えば、第１電極端子部材全体が第１端子部であるもの（電池内の発電要素と第１電極端子部材との接続には、電池ケース内から端子形成部を貫通して、端子形成面の上方にまで延びる別部材（第１導電部材）によって行うもの）が挙げられる。
【００１２】
また、移動制限部材の形態としては、上記の要件を満たすものであれば良い。即ち、第１端子絶縁部材と第２端子絶縁部材との間に介在し、第１外部接続端子を第１電極端子部材の第１端子部へ接続する際には、第２端子絶縁部材と自身との係合、及び、自身と第１端子絶縁部材との係合により、第１外部接続端子を第１端子部へ接続する際の、この第１電極端子部材の移動を制限する形態とされていれば良い。但し、移動を許容しうる範囲の大きさや、移動を許容する方向、第１端子絶縁部材や第２端子絶縁部材の寸法公差、などに応じて適宜の形態とする。
例えば具体的には、第１端子絶縁部材及び第２端子絶縁部材に、両者間を結ぶ方向に突出する突起をそれぞれ形成しておく。一方、移動制限部材を、これらの突起に嵌り合う凹部を形成した形態としたものが挙げられる。またこれとは逆に、第１端子絶縁部材と第２端子絶縁部材に、凹部を形成しておき、移動制限部材を、第１端子絶縁部材と第２端子絶縁部材の凹部に嵌り合う突起を形成した形態としたものが挙げられる。
【００１３】
さらに、上述の電池であって、前記第１端子部は、第１雄ねじ部を含み、前記第１端子絶縁部材は、前記第１電極端子部材に対し、上記第１雄ねじ部の軸線である第１軸線の周りにトルクを加えたときに、上記第１電極端子部材の回転移動を制限する形態で、上記第１電極端子部材を保持してなり、前記移動制限部材は、上記第１電極端子部材の回転移動に伴って、上記第１端子絶縁部材に生じる移動を制限する形態を有してなる電池とすると良い。
【００１４】
第１端子部に第１雄ねじ部を有する場合、例えば、外部接続端子部材の貫通孔にこの第１雄ねじ部を挿通し、さらにナットで締結することで、外部接続端子部材を第１端子部に接続する接続形態とすることが考えられる。
しかるに、この場合には、ナットの締め付け時に、第１雄ねじ部を回転させるように、第１軸線の周りにトルクが掛かるため、第１電極端子部材が回転移動し、さらには、これを保持している第１端子絶縁部材が、ナットと共回りをするなど、好ましくない移動が生じる場合がある。
【００１５】
これに対し、本発明の電池では、第１端子絶縁部材が、第１電極端子部材の回転移動を制限する形態で第１電極端子部材を保持しており、さらに、移動制限部材が、第１電極端子部材の回転移動に伴って、第１端子絶縁部材に生じる移動を制限する形態とされている。このため、第１端子部に外部接続端子を着脱する際、この第１端子部にトルクが加っても、第１電極端子部材の回転移動、及び、これに伴う第１端子絶縁部材の移動を、適切に制限することができる。
【００１６】
さらに、上述のいずれかの電池であって、前記第２端子絶縁部材は、前記第２端子部に前記第２外部接続端子を着脱する際に、前記端子形成面に沿う方向に生じる前記第２電極端子部材の移動を制限して保持してなり、前記移動制限部材は、上記第２端子部に上記第２外部接続端子を着脱する際に、上記端子形成面に沿う方向に生じる、上記第２電極端子部材、及び、これを保持する上記第２端子絶縁部材の移動を、前記第１端子絶縁部材と自身との係合、及び、自身と上記第２端子絶縁部材との係合により制限する形態を有してなる電池とすると良い。
【００１７】
本発明の電池では、第２端子絶縁部材が、前述の第１端子絶縁部材と同様、第２端子部に第２外部接続端子を着脱する際に生じる第２電極端子部材の移動を制限して保持している。
但し、例えば、第２端子部に第２外部接続端子を着脱する際、第２電極端子部材が、共回りなど、端子形成面に沿う方向へ移動しようとすると、この移動を制限している第２端子絶縁部材までもが、端子形成面に沿う方向へ移動しようとすることになる。
しかるに、本発明の電池では、第１絶縁端子部材と第２絶縁端子部材との間に介在する移動制限部材を備えており、この移動制限部材は、第２電極端子部材及び第２端子絶縁部材の移動を、第１端子絶縁部材とこの移動制限部材との係合、さらに、この移動制限部材と第２端子絶縁部材との係合により、制限する形態を有している。このため、この第２端子絶縁部材の移動のほか、これに保持されている第２電極端子部材の共回りなどの移動を適切に制限することができる。
このため、第２端子絶縁部材、あるいは、第２電極端子部材が、端子形成面に沿う方向に移動することにより、この第２電極端子部材と電池ケースの端子形成部との間のシール、あるいは、この第２電極端子部材が接続する第２導電部材と電池ケースの端子形成部との間のシールを不十分となる不具合を防止できる。
【００１８】
さらに、上述の電池であって、前記第２端子部は、第２雄ねじ部を含み、前記第２端子絶縁部材は、前記第２電極端子部材に対し、上記第２雄ねじ部の軸線である第２軸線の周りにトルクを加えたときに、上記第１電極端子部材の回転移動を制限する形態で、上記第２電極端子部材を保持してなり、前記移動制限部材は、上記第２電極端子部材の回転移動に伴って、上記第２端子絶縁部材に生じる移動を制限する形態を有してなる電池とすると良い。
【００１９】
本発明の電池では、第２端子絶縁部材が、前述の第１端子絶縁部材と同様、第２電極端子部材の回転移動を制限する形態で第２電極端子部材を保持しており、さらに、移動制限部材が、第２電極端子部材の回転移動に伴って、第２端子絶縁部材に生じる移動を制限する形態とされている。このため、第２端子部に外部接続端子を着脱する際、この第２端子部にトルクが加わっても、第２電極端子部材の回転移動、及び、これに伴う第２端子絶縁部材の移動を、適切に制限することができる。
【００２０】
さらに、他の解決方法は、上述のいずれかの電池を、それぞれ前記端子形成部を同方向に向けて、複数列置してなる組電池であって、前記移動制限部材は、上記電池のうち、自身が属する自己電池と、この自己電池に隣り合う電池のうち、少なくとも一方側に位置して隣り合う隣在電池との間に介在して、上記自己電池と上記隣在電池とを離間させて絶縁する離間絶縁部材を兼ねる兼用部材である組電池である。
【００２１】
本発明の組電池では、各電池（自己電池）が、移動制限部材と離間絶縁部材とを兼ねる兼用部材を備えている。このため、各電池を列置させて組電池を構成するにあたり、隣り合う電池同士の間を離間させ絶縁する離間絶縁部材を別途用意し、電池と離間絶縁部材とを交互に配置する必要が無く、組電池を容易に形成できる、また、安価な組電池とすることができる。
さらに、移動制限部材を離間絶縁部材と兼ねる構成としたので、移動制限部材としても、自身が属する自己電池における自身の位置が安定する。このため、第１端子部或いは第２端子部に第１，第２外部接続端子を着脱する場合等において、第１端子絶縁部材あるいは第２端子絶縁部材が移動しようとして、これらの移動を制限する移動制限部材に応力が掛かった場合に、移動制限部材が外れるなどの不具合も生じ難くできる。
【００２２】
さらに、上述の組電池であって、前記兼用部材は、前記離間絶縁部材として、前記自己電池の電池ケースである自己電池ケース、及び、前記隣在電池の電池ケースである隣在電池ケースの少なくともいずれかとの間に、冷媒を流通させる流通路を構成する形態を有してなる組電池とすると良い。
【００２３】
本発明の組電池では、兼用部材が離間絶縁部材として、冷媒の流通路を構成する形態を有している。従って、隣り合う自己電池と隣在電池との間に冷媒を流通させて、容易に各電池を冷却することができる。
【００２４】
なお、兼用部材の離間絶縁部材としての形態としては、例えば、自己電池ケースにはストライプ状（縞状）に接する一方、隣在電池ケースには全面で接することにより、兼用部材（離間絶縁部材）と自己電池ケースとの間に流通路を構成する形態が挙げられる。また、自己電池ケースには全面で接する一方、隣在電池ケースにはストライプ状（縞状）に接することにより、兼用部材（離間絶縁部材）と隣在電池ケースとの間に流通路を構成する形態や、自己電池ケース及び隣在電池ケースのいずれにもストライプ状（縞状）に接することにより、兼用部材（離間絶縁部材）と自己電池ケース及び隣在電池ケースとの間のいずれにも流通路を構成する形態が挙げられる。
【００２５】
また、冷媒としては、例えば、空気、アンモニア、ＣＯ2などの気体や、水、不凍液オイルなどの液体が挙げられる。
【００２６】
さらに、他の解決方法は、前述のいずれかの電池、あるいは、前述の組電池を搭載した車両である。
【００２７】
本発明の車両では、前述の電池あるいは組電池を搭載している。従って、例えば、電池あるいは組電池を構成する電池の第１端子部に第１外部接続端子を着脱する際に、第１電極端子部材と電池ケースの端子形成部との間のシール、あるいは、第１電極端子部材が接続する第１導電部材と電池ケースの端子形成部との間のシールが不十分となる不具合を防止し、信頼性の高い車両とすることができる。
【００２８】
なお、第２電極端子部材及びこれを保持する第２端子絶縁部材の移動を、第１端子絶縁部材と自身との係合、及び、自身と第２端子絶縁部材との係合により制限する形態を有する移動制限部材を有する電池を用いた場合には、以下の利点もある。即ち、電池の第２電極端子部に第２外部接続端子を着脱する際に、第２電極端子部材と電池ケースの端子形成部との間のシール、あるいは、第２電極端子部材が接続する第２導電部材と電池ケースの端子形成部との間のシールが不十分となる不具合を防止し、さらに信頼性の高い車両とすることができる。
また、前述の兼用部材を用いる組電池を搭載した車両では、安価な組電池を搭載した安価な車両とすることができる。
【００２９】
なお、車両としては、その動力源の全部あるいは一部に電池による電気エネルギを使用している車両であれば良く、例えば、電気自動車、ハイブリッド自動車、プラグインハイブリッド自動車、ハイブリッド鉄道車両、フォークリフト、電気車いす、電動アシスト自転車、電動スクータが挙げられる。
【００３０】
さらに、他の解決方法は、前述のいずれかの電池、あるいは、前述の組電池を搭載した電池搭載機器である。
【００３１】
本発明の電池搭載機器では、前述の電池あるいは組電池を搭載している。従って、例えば、電池あるいは組電池を構成する電池の第１端子部に第１外部接続端子を着脱する際に、第１電極端子部材と電池ケースの端子形成部との間のシール、あるいは、第１電極端子部材が接続する第１導電部材と電池ケースの端子形成部との間のシールが不十分となる不具合を防止し、信頼性の高い電池搭載機器とすることができる。
【００３２】
なお、第２電極端子部材及びこれを保持する第２端子絶縁部材の移動を、第１端子絶縁部材と自身との係合、及び、自身と第２端子絶縁部材との係合により制限する形態を有する移動制限部材を有する電池を用いた場合には、以下の利点もある。即ち、電池の第２電極端子部に第２外部接続端子を着脱する際に、第２電極端子部材と電池ケースの端子形成部との間のシール、あるいは、第２電極端子部材が接続する第２導電部材と電池ケースの端子形成部との間のシールが不十分となる不具合を防止し、さらに信頼性の高い電池搭載機器とすることができる。
また、前述の兼用部材を用いる組電池を搭載した電池搭載機器では、安価な組電池を搭載した安価な電池搭載機器とすることができる。また、兼用部材が移動制限部材と離間絶縁部材とを兼ねる構成であるので、例えば、この組電池において第１電極端子部材の第１端子部に第１外部接続端子を着脱する際に、移動制限部材が外れる等の不具合を生じ難くした電池搭載機器とすることができる。
【００３３】
なお、電池搭載機器としては、電池を搭載しこれをエネルギー源の少なくとも１つとして利用する機器であれば良く、例えば、パーソナルコンピュータ、携帯電話、電池駆動の電動工具、無停電電源装置など、電池で駆動される各種の家電製品、オフィス機器、産業機器が挙げられる。
【発明を実施するための最良の形態】
【００３４】
（実施形態１）
次に、本発明の実施形態１について、図面を参照しつつ説明する。
まず、本実施形態１にかかる電池１について説明する。図１に電池１の斜視図を、図２にその電池１の断面図（図１のＡ−Ａ部）を、図３，４に電池１の部分拡大断面図（図２のＢ，Ｃ部）を、それぞれ示す。
本実施形態１にかかる電池１は、矩形箱形の電池ケース１０、正極外部端子部材３１と第１端子絶縁部材３６とを有する正極端子構造体３０、負極外部端子部材５１と第２端子絶縁部材５６とを有する負極端子構造体５０、移動制限部材２０、発電要素８０及び図示しない電解液を備える捲回形のリチウムイオン二次電池である（図１，図２参照）。
【００３５】
このうち、発電要素８０は、電池ケース１０内で、帯状の正電極板８１および負電極板８２が、ポリエチレンからなる帯状のセパレータ８３を介して扁平形状に捲回されてなる（図２参照）。なお、この正電極板８１には後述する正極内部端子部材４１が、負電極板８２には負極内部端子部材６１が、それぞれ溶接により、電気的に接続してなる。
【００３６】
一方、電池ケース１０は、いずれもアルミニウムからなる封口蓋１１及び電池ケース本体１８を有する（図１参照）。このうち電池ケース本体１８は開口部１９を有する有底矩形箱形であり、内側全面に樹脂からなる絶縁フィルム（図示しない）を貼付している。
【００３７】
また、封口蓋１１は矩形板状であり、図１中、上方に面する蓋外表面１１Ｆを有する。この封口蓋１１は、電池ケース本体１８の開口部１９を閉塞して、この電池ケース本体１８に溶接されている。この封口蓋１１は、正極内部端子部材４１及び負極内部端子部材６１をそれぞれ挿通可能な貫通孔１１Ｋを有する（図３参照）。また、この封口蓋１１は、十字状の溝部１２Ｓからなる安全弁１２を有する（図６参照）。この安全弁１２は、一旦開弁すると安全弁の機能を失うタイプのものである。即ち、凹設されている溝部１２Ｓの肉厚が、他の部位より薄くしてあり、電池ケース１０の内側の気圧（ガス圧）が所定の開弁圧を超えたときに、溝部１２Ｓが開裂して、開弁する。
また、封口蓋１１には、アルミニウムキャップで溶接閉塞されてなる注入孔１３を有する（図６参照）。この注入孔１３は、製造時に電解液（図示しない）を電池ケース１０内に注入するための貫通孔である。
【００３８】
また、この封口蓋１１には、正極端子構造体３０、負極端子構造体５０及び移動制限部材２０が、それぞれ配置されている（図１参照）。具体的には、この封口蓋１２の蓋外表面１１Ｆ上に、正極端子構造体３０の第１端子絶縁部材３６、及び、負極端子構造体５０の第２端子絶縁部材５６が、それぞれ離間して配置されている。そして、これら第１端子絶縁部材３６と第２端子絶縁部材５６との間に介在するように、移動制限部材２０が配置されている。
【００３９】
まず、正極端子構造体３０について説明する。この正極端子構造体３０は、金属からなる正極外部端子部材３１、主として電池ケース１０の内部に位置する正極内部端子部材４１及び絶縁性樹脂からなる第１端子絶縁部材３６から構成されている（図１，２，３参照）。
【００４０】
このうち、アルミニウムからなる正極内部端子部材４１は、電池ケース１０の内側に位置する正極内部端子本体部４２と、これから延びており、塑性変形させられて、電池ケース１０、正極外部端子部材３１の後述する正極連結板３３、及び、後述するガスケット７９をかしめてなる正極かしめ部４３とを有する（図２参照）。
このうち、正極内部端子本体部４２は、封口蓋１１の貫通孔１１Ｋよりも径大の略矩形板状のケース結合部４２Ｓと、このケース結合部４２Ｓから発電要素８０の正電極板８１に向けて屈曲し、この正電極板８１と溶接してなる正極集電部４２Ｔとを含む。
【００４１】
また、正極かしめ部４３は、ケース結合部４２Ｓの中央付近から、これに直交する第３軸線ＡＸ３に沿って延び、封口蓋１１の貫通孔１１Ｋを挿通し、次述する正極外部端子部材３１の正極連結板３３上に延出してなる。この正極かしめ部４３は、その先端が第３軸線ＡＸ３の径方向外側に向けて拡がるように塑性変形させられて、この正極連結板３３を押圧している。かくして、正極かしめ部４３は、ケース結合部４２Ｓとの間に、電池ケース１０（封口蓋１１）、正極外部端子部材３１の正極連結板３３、後述する第１端子絶縁部材３６、及び、後述するガスケット７９を挟み込んでこれらを固定すると共に、正極内部端子本体部４２と正極連結板３３とを導通している。
【００４２】
また、金属材からなる正極外部端子部材３１は、ボルト形状の正極雄ねじ部３２Ｂと矩形箱状の脚部３２Ｌとからなる正極端子部３２、及び、クランク状に屈曲してなる正極連結板３３を含む（図１，３参照）。なお、この正極外部端子部材３１はいずれも、封口蓋１１の蓋外表面１１Ｆの上方に配置されている。
【００４３】
このうち、正極連結板３３は、第１端子絶縁部材３６を介して、封口蓋１１に固定されている固定部３３Ｍと、この固定部３３Ｍと平行に延びる端子結合部３３Ｎとを有する（図３参照）。このうち固定部３３Ｍは、その固定部貫通孔３３Ｐに前述の正極内部端子部材４１の正極かしめ部４３を挿通している。そして、固定部３３Ｍのうち固定部貫通孔３３Ｐの周囲が、正極かしめ部４３にかしめられて、封口蓋１１の蓋外表面１１Ｆの上方に固定されている。
また、正極連結板３３の端子結合部３３Ｎは、正極端子部３２の正極雄ねじ部３２Ｂを挿通する結合部貫通孔３３Ｑを有する。
【００４４】
一方、正極端子部３２は、矩形箱状の脚部３２Ｌと、この脚部３２Ｌの中央付近から突出するボルト形状の正極雄ねじ部３２Ｂとからなる（図３，６参照）。このうち正極雄ねじ部３２Ｂは、封口蓋１１の蓋外表面１１Ｆに直交する第１軸線ＡＸ１を有するボルト形状である。この正極雄ねじ部３２Ｂは、上述の正極連結板３３の結合部貫通孔３３Ｑ、及び、第１外部接続端子７１を挿通している。
また、脚部３２Ｌは、第１軸線ＡＸ１の周方向への回転移動を抑制できるよう、次述の第１端子絶縁部材３６の凹部３９に嵌り込んで収納されている。
【００４５】
また、正極外部端子部材３１と封口蓋１１との間には、絶縁性樹脂からなる第１端子絶縁部材３６が介在している（図３参照）。このため、この第１端子絶縁部材３６は、正極外部端子部材３１と封口蓋１１とを絶縁している。
この第１端子絶縁部材３６は、正極連結板３３のクランク形状に沿う階段形状の本体部３７と、この本体部３７から突出するリング状の突出部３８とを有しており、この突出部３８は、封口蓋１１の貫通孔１１Ｋに挿入されている。また、本体部３７の上段部分に掘穿してなる角穴状の部位を凹部３９とする。また、第１端子絶縁部材３６には、本体部３７及び突出部３８を貫通する絶縁貫通孔３６Ｋが穿孔されている。
【００４６】
この第１端子絶縁部材３６は、正極外部端子部材３１を保持している（図３参照）。具体的には、この第１端子絶縁部材３６の本体部３７は、正極外部端子部材３１の正極連結板３３の周端面３３Ｅを囲むように、正極連結板３３側に隆起した周縁部３７Ｈを有する。この周縁部３７Ｈは、本体部３７において、図３中、奥行き方向や横方向への正極連結板３３の移動を防止する。この正極連結板３３は、上述のとおり正極かしめ部４３にかしめられて固定されているので、第１端子絶縁部材３６の本体部３７は、正極連結板３３の移動を防止しつつこれを保持している。また、第１端子絶縁部材３６の角穴状の凹部３９には、上述の正極端子部３２の脚部３２Ｌが嵌り込んで収納されている。収納された脚部３２Ｌは、正極かしめ部４３で固定された正極連結板３３の端子結合部３３Ｎに当接しており、かくして、第１端子絶縁部材３６は、正極外部端子部材３１をなす正極連結板３３及び正極端子部３２をそれぞれ保持している。
このため、正極端子部３２に第１外部接続端子７１を着脱する際、この正極端子部３２にトルクが加っても、正極外部端子部材３１の回転移動を制限することができる。
【００４７】
また、封口蓋１１と正極内部端子部材４１の正極内端子本体部４２との間には、ガスケット７９が配置されている（図３，６参照）。このガスケット７９は、ガスケット貫通孔７９Ｋを有する環状で絶縁性の合成ゴムもしくは樹脂からなる。
【００４８】
上述のガスケット７９は、及び第１端子絶縁部材３６の突出部３８と共に、正極内部端子部材４１と電池ケース１０の封口蓋１１との間をシールしている。このため、電池ケース１０内への水分や異物等の混入や、電池ケース１０内からの電解液の漏出が防止される。
【００４９】
次に、負極端子構造体５０について説明する。この負極端子構造体５０は、正極端子構造体３０と同様、金属からなる負極外部端子部材５１、主として電池ケース１０の内部に位置する負極内部端子部材６１及び絶縁性樹脂からなる第２端子絶縁部材５６から構成されている（図１，２，３参照）。
【００５０】
このうち、銅からなる負極内部端子部材６１は、正極内部端子部材４１と同様に、電池ケース１０の内側に位置する負極内部端子本体部６２と、これから延びており、塑性変形させられて、電池ケース１０、負極外部端子部材５１の後述する負極連結板５３、及び、後述するガスケット７９をかしめてなる負極かしめ部６３とを有する（図２参照）。
このうち、負極内部端子本体部６２は、正極内部端子本体部４２と同様、封口蓋１１の貫通孔１１Ｋよりも径大の略矩形板状のケース結合部６２Ｓと、このケース結合部６２Ｓから発電要素８０の負電極板８２に向けて屈曲し、この負電極板８２と溶接してなる負極集電部６２Ｔとを含む。
【００５１】
また、負極かしめ部６３は、ケース結合部６２Ｓの中央付近から、これに直交する第４軸線ＡＸ４に沿って延び、封口蓋１１の貫通孔１１Ｋを挿通し、次述する負極外部端子部材５１の負極連結板５３上に延出してなる。この負極かしめ部６３は、その先端が第４軸線ＡＸ４の径方向外側に向けて拡がるように塑性変形させられて、この負極連結板５３を押圧している。かくして、負極かしめ部６３は、ケース結合部６２Ｓとの間に、電池ケース１０（封口蓋１１）、負極外部端子部材５１の負極連結板５３、後述する第２端子絶縁部材５６、及び、ガスケット７９を挟み込んでこれらを固定すると共に、負極内部端子本体部６２と負極連結板５３とを導通している。
【００５２】
また、金属材からなる負極外部端子部材５１は、正極外部端子部材３１と同様、ボルト形状の負極雄ねじ部５２Ｂと矩形箱状の脚部５２Ｌとからなる負極端子部５２、及び、クランク状に屈曲してなる負極連結板５３を含む（図１，３参照）。なお、この負極外部端子部材５１はいずれも、封口蓋１１の蓋外表面１１Ｆの上方に配置されている。
【００５３】
このうち、負極連結板５３は、第２端子絶縁部材５６を介して、封口蓋１１に固定されている固定部５３Ｍと、この固定部５３Ｍと平行に延びる端子結合部５３Ｎとを有する（図４参照）。このうち固定部５３Ｍは、その固定部貫通孔５３Ｐに前述の負極内部端子部材６１の負極かしめ部６３を挿通している。そして、固定部５３Ｍのうち固定部貫通孔５３Ｐの周囲が、負極かしめ部６３にかしめられて、封口蓋１１の蓋外表面１１Ｆの上方に固定されている。
また、負極連結板５３の端子結合部５３Ｎは、負極端子部５２の負極雄ねじ部５２Ｂを挿通する結合部貫通孔５３Ｑを有する。
【００５４】
一方、負極端子部５２は、矩形箱状の脚部５２Ｌと、この脚部５２Ｌの中央付近から突出するボルト形状の負極雄ねじ部５２Ｂとからなる（図４，６参照）。このうち負極雄ねじ部５２Ｂは、封口蓋１１の蓋外表面１１Ｆに直交する第２軸線ＡＸ２を有するボルト形状である。この負極雄ねじ部５２Ｂは、上述の負極連結板５３の結合部貫通孔５３Ｑ、及び、第２外部接続端子７２を挿通している。
また、脚部５２Ｌは、第２軸線ＡＸ２の周方向への回転移動を抑制できるよう、次述の第２端子絶縁部材５６の凹部５９に嵌り込んで収納されている。
【００５５】
また、負極外部端子部材５１と封口蓋１１との間には、絶縁性樹脂からなる第２端子絶縁部材５６が介在している（図４参照）。このため、この第２端子絶縁部材５６は、負極外部端子部材５１と封口蓋１１とを絶縁している。
この第２端子絶縁部材５６は、第１端子絶縁部材３６と同様、負極連結板５３のクランク形状に沿う階段形状の本体部５７と、この本体部５７から突出するリング状の突出部５８を有しており、この突出部５８は、封口蓋１１の貫通孔１１Ｋに挿入されている。また、本体部５７の上段部分に掘穿してなる角穴状の部位を、凹部５９とする。また、第２端子絶縁部材５６には、本体部５７及び突出部５８を貫通する絶縁貫通孔５６Ｋが穿孔されている。
【００５６】
この第２端子絶縁部材５６は、負極外部端子部材５１を保持している（図４参照）。具体的には、この第２端子絶縁部材５６の本体部５７は、負極外部端子部材５１の負極連結板５３の周端面５３Ｅを囲むように、負極連結板５３側に隆起した周縁部５７Ｈを有する。この周縁部５７Ｈは、本体部５７において、図４中、奥行き方向や横方向への負極連結板５３の移動を防止する。この負極連結板５３は、上述のとおり負極かしめ部６３にかしめられて固定されているので、第２端子絶縁部材５６の本体部５７は、負極連結板５３の移動を防止しつつこれを保持している。また、第２端子絶縁部材５６の角穴状の凹部５９には、上述の負極端子部５２の脚部５２Ｌが嵌り込んで収納されている。収納された脚部５２Ｌは、負極かしめ部６３で固定された負極連結板５３の端子結合部５３Ｎに当接しており、かくして、第２端子絶縁部材５６は、負極外部端子部材５１をなす負極連結板５３及び負極端子部５２をそれぞれ保持している。
このため、負極端子部５２に第２外部接続端子７２を着脱する際、この負極端子部５２にトルクが加っても、負極外部端子部材５１の回転移動を制限することができる。
【００５７】
また、封口蓋１１と負極内部端子部材６１の負極内端子本体部６２との間には、前述のガスケット７９が配置されている（図４，６参照）。このガスケット７９は、第２端子絶縁部材５６の突出部５８と共に、それぞれ負極内部端子部材６１と電池ケース１０の封口蓋１１との間をシールしている。このため、電池ケース１０内への水分や異物等の混入や、電池ケース１０内からの電解液の漏出が防止される。
【００５８】
次いで、絶縁性樹脂からなる移動制限部材２０について、図１，５を参照しつつ説明する。
この移動制限部材２０は、第１方向ＤＡに延びる直方板形状の本体部２３、その本体部２３の第１方向ＤＡの両側にそれぞれ位置し、本体部２３から２本、腕状に延びてコ字状をなす第１係合部２１、及び第２係合部２２を有する（図１，５参照）。なお、この移動制限部材２０は、図１に示すように、電池ケース１０の封口蓋１１上で、前述の第１端子絶縁部材３６と第２端子絶縁部材５６との間に介在してなる。また、この移動制限部材２０は、正極端子部３２に第１外部接続端子７１を着脱する際に、正極外部端子部材３１及び第１端子絶縁部材３６に生じうる移動を、第２端子絶縁部材５６と移動制限部材２０との係合、及び、この移動制限部材２０と第１端子絶縁部材３６との係合により制限できる程度には、各部に剛性を備えたものとしてある。
【００５９】
このうち本体部２３は、その中央付近に位置する、放射状に設けられた壁部によって仕切られた第１貫通孔２４と、この隣に位置しこれより小径円孔の第２貫通孔２５とを有する。このうち第１貫通孔２４は、封口蓋１１の安全弁１２の第２方向ＤＢ（図６中、上方）に位置し、この安全弁１２が開弁した場合のガス等の流路となる。また、第２貫通孔２５は、封口蓋１１の注入孔１３の第２方向ＤＢ（図６中、上方）に位置し、電池ケース１０内に電解液を注入する場合に用いる。
【００６０】
また、第１係合部２１は、図１に示すように、第１端子絶縁部材３６と係合している。具体的には、第１係合部２１をなす２本の第１腕部２１Ａ，２１Ａが、第１端子絶縁部材３６を挟むように近接して、あるいは当接して、配置されている。第２係合部２２もまた、上述の第１係合部２１と同様、２本の第２腕部２２Ａ，２２Ａで第２端子絶縁部材５６と係合している（図１参照）。
【００６１】
ところで、本実施形態１の電池１では、正極端子部３２に第１外部接続端子７１を着脱する際、正極外部端子部材３１が蓋外壁面１１Ｆに沿う方向へ移動しようとするため、この移動を制限している第１端子絶縁部材３６までもが、正極外部端子部材３１と共に蓋外壁面１１Ｆに沿う方向へ移動しようとすることがある。具体的には、第１端子絶縁部材３６が、正極端子部３２との共回りによる第１軸線ＡＸ１を中心とした回転移動や、第３軸線ＡＸ３を中心とした回転移動等をすることがある。
【００６２】
これに対し本実施形態１の電池１では、正極外部端子部材３１を保持する第１端子絶縁部材３６に加えて、移動制限部材２０を備えている。この移動制限部材２０は、正極外部端子部材３１及び第１端子絶縁部材３６の移動を、第２端子絶縁部材５６とこの移動制限部材２０との係合、さらに、この移動制限部材２０と第１端子絶縁部材３６との係合により、制限する形態を有している。具体的には、移動制限部材２０は、上述の通り、第１係合部２１が第１端子絶縁部材３６を、かつ、第２係合部２２が第２端子絶縁部材５６を、それぞれ挟むように近接、あるいは当接して配置されている（図１参照）。
第１外部接続端子７１の着脱により、第１端子絶縁部材３６が、第１軸線ＡＸ１を中心とした回転移動、第３軸線ＡＸ３を中心とした回転移動等の移動をしようとすることがある。すると、第１端子絶縁部材３６の移動により、移動制限部材２０の第１腕部２１Ａ，２１Ａにこの第１端子絶縁部材３６が当接し、この移動制限部材２０も移動させようとする。しかし、移動制限部材２０は、第１腕部２１Ａ，２１Ａ近傍が移動しようとすると、第２腕部２２Ａ，２２Ａ近傍が大きく移動せざるを得なくなり、結局第１腕部２１Ａ近傍の移動が制限される。従って、この移動制限部材２０のほか、第１端子絶縁部材３６の移動が抑制される。
【００６３】
以上より、本実施形態１の電池１では、この第１端子絶縁部材３６の移動のほか、これに保持されている正極外部端子部材３１の移動を適切に制限することができる。
このため、第１端子絶縁部材３６、あるいは、正極外部端子部材３１が、封口蓋１１の蓋外表面１１Ｆに沿う方向に移動することにより、この正極外部端子部材３１と電池ケース１０の封口蓋１１との間のシール、あるいは、この正極外部端子部材３１が接続する正極内部端子部材４１と電池ケース１０の封口蓋１１との間のシールが不十分となる不具合を防止できる。
【００６４】
また、本実施形態１の電池１では、負極端子部５１に第２外部接続端子７２を着脱する際、負極外部端子部材５１が、前述の正極外部端子部材３１と同様、蓋外壁面１１Ｆに沿う方向へ移動しようとするため、この移動を制限している第２端子絶縁部材５６までもが、負極外部端子部材５１と共に蓋外壁面１１Ｆに沿う方向へ移動しようとすることがある。
【００６５】
これに対し本実施形態１の電池１では、正極外部端子部材３１を保持する第１端子絶縁部材３６に加えて、前述の移動制限部材２０を備えている。この移動制限部材２０は、正極外部端子部材３１及び第１端子絶縁部材３６と共に、負極外部端子部材５１及び第２端子絶縁部材５６の移動を制限する形態を有している。
第２外部接続端子７２の着脱により、第２端子絶縁部材５６が、第２軸線ＡＸ２を中心とした回転移動、第４軸線ＡＸ４を中心とした回転移動等の移動をしようとすることがある。すると、第２端子絶縁部材５６の移動により、移動制限部材２０の第２腕部２２Ａ，２２Ａにこの第２端子絶縁部材５６が当接し、この移動制限部材２０も移動させようとする。しかし、移動制限部材２０は、第２腕部２１Ａ，２２Ａ近傍が移動しようとすると、第１腕部２１Ａ，２１Ａ近傍が大きく移動せざるを得なくなり、結局第２腕部２２Ａ，２２Ａ近傍の移動が制限される。従って、この移動制限部材２０のほか、第２端子絶縁部材５６の移動が抑制される。
【００６６】
従って、本実施形態１の電池１では、この第２端子絶縁部材５６の移動のほか、これに保持されている負極外部端子部材５１の移動を適切に制限することができる。
このため、第２端子絶縁部材５６、あるいは、負極外部端子部材５１が、封口蓋１１の蓋外表面１１Ｆに沿う方向に移動することにより、この負極外部端子部材５１と電池ケース１０の封口蓋１１との間のシール、あるいは、この負極外部端子部材５１が接続する負極内部端子部材６１と電池ケース１０の封口蓋１１との間のシールが不十分となる不具合を防止できる。
【００６７】
また、本実施形態１の電池１では、第１端子絶縁部材３６が、正極外部端子部材３１の回転移動を制限する形態で正極外部端子部材３１を保持しており、さらに、移動制限部材２０が、正極外部端子部材３１の回転移動に伴って、第１端子絶縁部材３６に生じる移動を制限する形態とされている。つまり、移動制限部材２０は、正極外部端子部材３１の共回りによる第１軸線ＡＸ１を中心とした回転移動や、第３軸線ＡＸ３を中心とした回転移動等に伴う、第１端子絶縁部材３６の、第１軸線ＡＸ１あるいは第３軸線ＡＸ３を中心とした回転移動等を制限している。
【００６８】
このため、本実施形態１の電池１では、正極端子部３２に第１外部接続端子７１を着脱する際、この正極端子部３２にトルクが加っても、正極外部端子部材３１の回転移動、及び、これに伴う第１端子絶縁部材３６の移動を、適切に制限することができる。
【００６９】
また、第２端子絶縁部材５６が、負極外部端子部材５１の回転移動を制限する形態で負極外部端子部材５１を保持しており、さらに、移動制限部材２０が、負極外部端子部材５１の回転移動に伴って、第２端子絶縁部材５６に生じる移動を制限する形態とされている。つまり、上述の移動制限部材２０は、第２端子絶縁部材５６の、第２軸線ＡＸ２あるいは第４軸線ＡＸ４を中心とした回転移動等をも制限している。
【００７０】
このため、本実施形態１の電池１では、負極端子部５２に第２外部接続端子７２を着脱する際、この負極端子部５２にトルクが加っても、負極外部端子部材５１の回転移動、及び、これに伴う第２端子絶縁部材５６の移動を、適切に制限することができる。
【００７１】
次いで、本実施形態１にかかる電池１の製造方法について、図６〜８を参照しつつ説明する。
まず、正電極板８１及び負電極板８２を、セパレータ８３を介して捲回してなる発電要素８０に、前述の正極内部端子部材４１の正極集電部４２Ｔ、及び、負極内部端子部材６１の負極集電部６２Ｔをそれぞれ溶接する。
【００７２】
次いで、封口蓋１１に正極端子構造体３０を固定する固定工程を説明する。
図６に、この電池１の正極端子構造体３０を構成する、かしめ前の正極内部端子部材４１、ガスケット７９、封口蓋１１、第１端子絶縁部材３６、正極外部端子部材３１及び移動制限部材２０の斜視図を示す。このうち、正極内部端子部材４１は、上述の通り、発電要素８０の正電極板８１と既に溶接されている。また、正極かしめ部４３は、図６中、上方に開口する変形用穴４３Ｈが設けられている。
【００７３】
まず、正極端子部３２を正極連結板３３に挿通させる。具体的には、図６に示すように、正極端子部３２の脚部３２Ｌを、第１端子絶縁部材３６の凹部３９にはめ込む。そして、正極端子部３２の正極雄ねじ部３２Ｂを、正極連結板３３の結合部貫通孔３３Ｑに挿通させる。
【００７４】
さらに、図６に示すように、正極かしめ部４３を、ガスケット７９のガスケット貫通孔７９Ｋ、封口蓋１１の貫通孔１１Ｋ、第１端子絶縁部材３６の絶縁貫通孔３６Ｋ、および、正極外部端子部材３１のうち正極連結板３３の固定部貫通孔３３Ｐに、この順に挿通して、その先端側を正極連結板３３よりも突出させる。
【００７５】
次に、円錐形状の先端部を有する拡径金型９１を、正極かしめ部４３の変形用穴４３Ｈに向けて、第３軸線ＡＸ３に沿って移動させる（図７参照）。またこれと同時に、平面を有する平面金型９２を、正極内部端子部材４１のケース結合部４２Ｓの下方（図７中、下方）に当接させて、第３軸線ＡＸ３に沿って封口蓋１１に向けて移動させる。これにより、正極かしめ部４３は拡径金型９１の先端部に倣って塑性変形し、カサ状（円錐筒状）に開いた形状とされる。
【００７６】
その後、正極かしめ部４３を押圧金型９３を用いて変形させる（図８参照）。これにより、正極かしめ部４３は、その先端が第３軸線ＡＸ３の径方向外側に向けて拡がるように塑性変形させられ、正極連結板３３を押圧している。これにより、正極端子構造体３０が封口蓋１１上に固定されてできあがる。
【００７７】
次いで、負極端子構造体５０も、上述の正極端子構造体３０と同様にして、封口蓋１１上に固定する。
即ち、まず、負極端子部５２を負極連結板５３に挿通させる（図６参照）。さらに、負極かしめ部６３を、ガスケット７９のガスケット貫通孔７９Ｋ、封口蓋１１の貫通孔１１Ｋ、第２端子絶縁部材５６の絶縁貫通孔５６Ｋ、および、負極連結板５３の固定部貫通孔５３Ｐに、この順に挿通して、その先端側を負極連結板５３よりも突出させる。
次に、正極端子構造体３０と同様に、拡径金型９１、平面金型９２及び押圧金型９３を用いて、挿通した負極かしめ部６３を塑性変形させて、これに負極連結板５３を押圧させる（図７，８参照）。これにより、負極端子構造体５０が封口蓋１１上に固定されてできあがる。
【００７８】
さらに、移動制限部材２０を、封口蓋１１上、それぞれ固定してなる正極端子構造体３０及び負極端子構造体５０との間に配置する。具体的には、移動制限部材２０の第１挟持部２１で第１端子絶縁部材３６を、第２挟持部２２で第２端子絶縁部材５６を挟むように配置する。なお、封口蓋１１に配置された安全弁１２及び注入孔１３の、図６中、上方に、移動制限部材２０の第１貫通孔２４及び第２貫通孔２５がそれぞれ位置する。
【００７９】
移動制限部材２０を封口蓋１１に配置後は、発電要素８０を電池ケース本体１８に収容する。さらに、封口蓋１１と電池ケース本体１８とを溶接して電池ケース１０とする。封口蓋１１の注入孔１３を通じて、電解液（図示しない）を電池ケース１０内に注入した後、その注入孔１３をアルミニウムキャップで溶接して封止する。かくして本実施形態１にかかる電池１が完成する。
【００８０】
（実施形態２）
次に、本発明の実施形態２にかかる組電池１００について、図９〜１１を参照しつつ説明する。なお、前述の実施形態１と同様の部分の説明は省略または簡略化するが、同様の部分については同様の作用効果を生じる。また、同内容のものには同番号を付して説明する。
【００８１】
本実施形態２にかかる組電池１００は、複数の電池１０１、いずれも金属からなり電池１０１を挟持してなる第１エンドプレート１９１，第２エンドプレート１９６、及び、第２エンドプレート１９６と電池１０１の間に介在してなる樹脂枠体１８５を備える。なお、この組電池１００では、複数の電池１０１を積層する方向（図９中、左右方向）を積層方向ＤＬとする。
【００８２】
このうち、金属からなる板状の第１エンドプレート１９１は、電池１０１と当接する平面状の第１内側面１９２を有する（図１０参照）。また、金属からなる板状の第２エンドプレート１９６は、自身と電池１０１との間に介在する樹脂枠体１８５と当接する平面状の第２内側面１９７を有する。
なお、これら第１エンドプレート１９１及び第２エンドプレート１９６は、外部からの外力によって、積層方向ＤＬに複数の電池１０１を挟持している。
【００８３】
また、絶縁性樹脂からなる樹脂枠体１８５は、隣り合う電池１０１のケース主面１０Ｆと対向するように配置される、板状の本体部１８６と、この本体部１８６から電池１０１の底側（図９，１０，１１中、下方）に回り込むように延出しているフランジ部１８９とを有する。このうち、フランジ部１８９は、積層方向ＤＬのうちこれに隣接する電池１０１側にのみ延出する形態である。そして、このフランジ部１８９の先端部分が、後述の第１移動制限部材１２０Ｍの第１フランジ部１２９Ｍと結合可能な形状の結合部１８９Ｊとされている。このため、樹脂枠体１８５は、電池１０１を介して隣り合う第１移動制限部材１２０Ｍと、電池１０１の底側で互いに結合している（図１０参照）。
【００８４】
また、本体部１８６は、第１当接面１８７及び第２当接面１８８を含む。このうち第１当接面１８７は、電池１０１のケース主面１０Ｆに対向して当接している。また、この第１当接面１８７には、積層方向ＤＬに直交し、かつ、図１０において紙面に垂直な方向に延びる略矩形帯状の凹部１８７Ｐが複数平行に凹設されている。これら凹部１８７Ｐ，１８７Ｐと、電池１０１の電池ケース１０（ケース主面１０Ｆ）に囲まれて、空気を流通可能な矩形状の流通路ＢＷが設けられる。
【００８５】
一方、平面形状の第２当接面１８８は、その全面が、第２エンドプレート１９６の第２内側面１９７に当接している。さらに、樹脂枠体１８５は、電池１０１の電池ケース１０と第２エンドプレート１９６の間に介在して、これらを互いに絶縁している。
【００８６】
また、電池１０１は、実施形態１の電池１と同様に、矩形箱形の電池ケース１０、正極外部端子部材３１と第１端子絶縁部材３６とを有する正極端子構造体３０、負極外部端子部材５１と第２端子絶縁部材５６とを有する負極端子構造体５０、発電要素８０及び図示しない電解液を備える捲回形のリチウムイオン二次電池である（図１１参照）。但し、実施形態１とは異なる移動制限部材１２０を備えている。
なお、組電池１００では、この電池１０１は、電池ケース１０の封口蓋１１を、図９中、上方に向けて、積層方向ＤＬに複数列置してなる。このため、封口蓋１１上に固定されてなる正極端子構造体３０及び負極端子構造体５０はいずれも、図９中、上方に位置し、隣り合う電池１０１，１０１の正極端子構造体３０と負極端子構造体５０とを、板状のバスバ１７０を用いて至近距離で連結できる。
【００８７】
このうち電池ケース１０は、実施形態１と同様、封口蓋１１及び電池ケース本体１８からなる。また、この電池ケース１０は、積層方向ＤＬに直交し、互いに平行な２つのケース主面１０Ｆ，１０Ｆを有する（図１０参照）。
【００８８】
また、絶縁性樹脂からなる移動制限部材１２０は、実施形態１と同様の、本体部２３、第１係合部２１、第２係合部２２のほか、電池ケース１０の一方のケース主面１０Ｆ側に位置して、隣り合う電池との間に介在する板状の介在部１２６、及び、この介在部１２６から電池１０１の底側（図９，１０，１１中、下方）に回り込むように延出しているフランジ部１２９を有する。
なお、この移動制限部材１２０は、第１エンドプレート１９１と当接する第１介在部１２６Ｍを含む第１移動制限部材１２０Ｍと、電池１０１同士の間に介在する第２介在部１２６Ｎを含む第２移動制限部材１２０Ｎの２種に分類される（図１０参照）。具体的には、第１移動制限部材１２０Ｍは、積層方向ＤＬのうち電池１０１側にのみ延出する形態の第１フランジ部１２９Ｍを有するのに対し、第２移動制限部材１２０Ｎの第２フランジ部１２９Ｎは、積層方向ＤＬの両側に延出する形状を有している。
【００８９】
移動制限部材１２０のうち、フランジ部１２９（第１フランジ部１２９Ｍ，第２フランジ部１２９Ｎ）は、その積層方向ＤＬの先端部分が隣接する脚部同士で結合可能な形状の結合部１２９Ｊとされている。このため、電池１０１を介して隣り合う移動制限部材１２０同士は、電池１０１の底側で互いに結合している（図１０参照）。
【００９０】
また、介在部１２６は、第１当接面１２７及び第２当接面１２８を含む。このうち第１当接面１２７は、電池１０１のケース主面１０Ｆあるいは第１エンドプレート１９１の第１内側面１９２に対向して当接している。また、この第１当接面１２７には、積層方向ＤＬに直交し、かつ、図１０において紙面に垂直な方向に延びる略矩形帯状の凹部１２７Ｐが複数平行に凹設されている。これら凹部１２７Ｐ，１２７Ｐと、電池１０１の電池ケース１０（ケース主面１０Ｆ）に囲まれて、空気を流通可能な矩形状の流通路ＢＷが設けられる。
一方、平面形状の第２当接面１２８は、その全面が、この移動制限部材１２０を備える電池１０１のケース主面１０Ｆに当接している。
【００９１】
さらに、介在部１２６は、電池ケース１０同士、及び電池ケース１０とエンドプレート１９１の間に介在して、これらを互いに絶縁している。
例えば、図１０に示すように、電池１０１のうち、互いに隣り合う第１電池１０１Ｊ及び第２電池１０１Ｋでは、第１電池１０１Ｊにおける移動制限部材１２０の介在部１２６が、第１電池１０１Ｊと第２電池１０１Ｋとの間に介在している。そして、この介在部１２６は、第１電池１０１Ｊと第２電池１０１Ｋとを離間させて絶縁している。
【００９２】
即ち、移動制限部材１２０は、第１電池１０１Ｊと第２電池１０１Ｋとを離間させて絶縁する離間絶縁部材を兼ねる兼用部材ＣＭである。このため、各電池１０１を列置させて組電池１００を構成するに当たり、隣り合う電池１０１同士（第１電池１０１Ｊ，第２電池１０１Ｋ）の間を離間させ絶縁する離間絶縁部材を別途用意し、電池１０１と離間絶縁部材とを交互に配置する必要が無く、組電池１００を容易に形成できる、また、安価な組電池１００とすることができる。
【００９３】
さらに、移動制限部材１２０を離間絶縁部材と兼ねる構成としたので、移動制限部材１２０としても、自身が属する第１電池１０１Ｊにおける自身の位置が安定する。具体的には、第１電池１０１Ｊの移動制限部材１２０の介在部１２６は、第１電池１０１Ｊの第１電池ケース１０Ｊと、第２電池１０１Ｋの第２電池ケース１０Ｋとの間に挟まれている（図１０参照）。これにより、移動制限部材１２０の本体部２３は、封口蓋１１の蓋外表面１１Ｆ上で移動したり、封口蓋１１から外れたりし難い。さらに、図１０に示すように、隣り合う電池１０１の移動制限部材１２０は、封口蓋１１側、積層方向ＤＬの少なくとも一方で互いに当接し合っているので、本体部２３は、蓋外表面１１Ｆ上を移動しがたい。
【００９４】
このため、正極外部端子部材３１の正極端子部３２、或いは、負極外部端子部材５１の負極端子部５２に、バスバ１７０（又は、第１外部接続端子７１或いは第２外部接続端子７２）を着脱する場合等において、第１端子絶縁部材３６あるいは第２端子絶縁部材５６が移動しようとして、これらの移動を制限する移動制限部材１２０に応力が掛かった場合に、この移動制限部材１２０が外れるなどの不具合も生じ難くできる。
【００９５】
また、前述の第１電池１０１Ｊの移動制限部材１２０は、この介在部１２６と、第２電池１０１Ｋの第２電池ケース１０Ｋとの間に、冷却風を流通させる流通路ＢＷを構成している。
このため、組電池１００では、隣り合う第１電池１０１Ｊと第２電池１０１Ｋとの間に冷却風を流通させて、容易に各電池１０１Ｊ，１０１Ｋを冷却することができる。
【００９６】
次いで、本実施形態２にかかる組電池１００の製造方法について、図１２，１３を参照しつつ説明する。
まず、実施形態１と同様にして、発電要素８０に、前述の正極内部端子部材４１の正極集電部４２Ｔ、及び、負極内部端子部材６１の負極集電部６２Ｔをそれぞれ溶接する。
【００９７】
次いで、封口蓋１１に正極端子構造体３０を固定する固定工程を説明する。
図１２に、この電池１の正極端子構造体３０を構成する、かしめ前の正極内部端子部材４１、ガスケット７９、封口蓋１１、第１端子絶縁部材３６、正極外部端子部材３１及び移動制限部材２０の斜視図を示す。このうち、正極内部端子部材４１は、上述の通り、発電要素８０の正電極板８１と既に溶接されている。また、正極かしめ部４３は、図６中、上方に開口する変形用穴４３Ｈが設けられている。
【００９８】
まず、正極端子部３２を正極連結板３３に挿通させる。具体的には、図６に示すように、正極端子部３２の脚部３２Ｌを、第１端子絶縁部材３６の凹部３９にはめ込む。そして、正極端子部３２の正極雄ねじ部３２Ｂを、正極連結板３３の結合部貫通孔３３Ｑに挿通させる。
【００９９】
さらに、図６に示すように、正極かしめ部４３を、ガスケット７９のガスケット貫通孔７９Ｋ、封口蓋１１の貫通孔１１Ｋ、第１端子絶縁部材３６の絶縁貫通孔３６Ｋ、および、正極外部端子部材３１のうち正極連結板３３の固定部貫通孔３３Ｐに、この順に挿通して、その先端側を正極連結板３３よりも突出させる。
【０１００】
次に、正極連結板３３から突出した正極かしめ部４３を、実施形態１と同様に、拡径金型９１、平面金型９２及び押圧金型９３を用いて変形させる（図８参照）。これにより、正極かしめ部４３は、その先端が第３軸線ＡＸ３の径方向外側に向けて拡がるように塑性変形させられ、正極連結板３３を押圧している。これにより、正極端子構造体３０が封口蓋１１上に固定される。
負極端子構造体５０についても、上述の正極端子構造体３０と同様にして、封口蓋１１上に固定する。
【０１０１】
封口蓋１１上に正極端子構造体３０及び負極端子構造体５０を固定後、発電要素８０を電池ケース本体１８に収容する。さらに、封口蓋１１と電池ケース本体１８とを溶接して電池ケース１０とする。
【０１０２】
電池ケース１０とした後に、移動制限部材１２０を、封口蓋１１上、正極端子構造体３０及び負極端子構造体５０との間に配置する。具体的には、移動制限部材１２０の第１挟持部２１で第１端子絶縁部材３６を、第２挟持部２２で第２端子絶縁部材５６を挟むように配置すると共に、移動制限部材１２０の介在部１２６を電池ケース１０のケース主面１０Ｆに当接させる。さらに、移動制限部材１２０のフランジ部１２９を、電池ケース１０の底側（図１３（ｂ）中、下方）に配置させる。
なお、封口蓋１１に配置された安全弁１２及び注入孔１３の、図１２中、上方に、移動制限部材２０の第１貫通孔２４及び第２貫通孔２５がそれぞれ位置する。
封口蓋１１の注入孔１３を通じて、電解液（図示しない）を電池ケース１０内に注入した後、その注入孔１３をアルミニウムキャップで溶接して封止する。これにより、電池１０１ができあがる。  
【０１０３】
次いで、上述の複数の電池１０１を列置する。具体的には、移動制限部材１２０の介在部１２６の第１当接面１２７と、他の電池１０１から露出するケース主面１０Ｆとを当接させて、複数の電池１０１を積層方向ＤＬに沿って一列に列置する。
列置した複数の電池１０１のうち、積層方向ＤＬ、移動制限部材１２０の介在部１２６の第１当接面１２７が露出している側に、第１エンドプレート１９１の第１内側面１９２を当接させる。また、これとは逆に、ケース主面１０Ｆが露出している側に、樹脂枠体１８５を介して、第２エンドプレート１９６の第２内側面１９７を当接させる。
その後、第１エンドプレート１９１及び第２エンドプレート１９６の外部から、積層方向ＤＬに沿った外力を与えて、これらに複数の電池１０１を挟持させる。
かくして、本実施形態２にかかる組電池１００が完成する（図９参照）。
【０１０４】
（実施形態３）
本実施形態３にかかる車両２００は、前述した組電池１００を含むバッテリパック２１０を搭載したものである。具体的には、図１４に示すように、車両２００は、エンジン２４０、フロントモータ２２０およびリアモータ２３０を併用して駆動するハイブリッド自動車である。この車両２００は、車体２９０、エンジン２４０、これに取り付けられたフロントモータ２２０、リアモータ２３０、ケーブル２５０、インバータ２６０、及び、矩形箱形状のバッテリパック２１０を有している。このうちバッテリパック２１０は、組電池１００を矩形箱形状のバッテリケース２１１の内部に収容してなる。
【０１０５】
このため、本実施形態３にかかる車両２００では、正極端子構造体３０の正極端子部３２にバスバ１７０（又は第１外部接続端子７１）を着脱する際に、正極外部端子部材３１と電池ケース１０の封口蓋１１との間のシール、あるいは、正極外部端子部材３１が接続する正極内部端子部材４１と封口蓋１１との間のシールが不十分となる不具合を防止できる。さらに、負極側も同様に、負極端子部５２にバスバ１７０（又は第２外部接続端子７２）を着脱する際に、負極外部端子部材５１と封口蓋１１との間のシール、あるいは、負極内部端子部材６１と封口蓋１１との間のシールが不十分となる不具合を防止できる。
かくしてこの車両２００を、信頼性の高い車両とすることができる。
【０１０６】
また、この車両２００は、前述の通り、兼用部材ＣＭである移動制限部材１２０を備えた組電池１００を搭載するので、安価な組電池１００を搭載した安価な車両とすることができる。
【０１０７】
（変形形態１）
本変形形態１にかかる車両３００は、前述した電池１を複数含むバッテリパック３１０を搭載している点で、実施形態３の車両２００と異なる。
具体的には、本変形形態１の車両３００のバッテリパック３１０は、矩形箱形状のバッテリケース３１１の内部に電池１を複数列置して収容してなる（図１５参照）。なお、複数の電池１は、複数のバスバ３７０を用いて、バッテリパック３１０内で直列に電気接続されている。また、これらのうち隣り合う電池ケース１０，１０の間には、移動制限部材２０とは別部材の、絶縁性樹脂からなる離間絶縁部材ＳＭを介在している。
【０１０８】
このため、本変形形態１にかかる車両３００では、正極端子部３２にバスバ３７０（又は第１外部接続端子７１）を着脱する際に、正極外部端子部材３１と電池ケース１０の封口蓋１１との間のシール、あるいは、正極内部端子部材４１と封口蓋１１との間のシールが不十分となる不具合を防止できる。さらに、負極側も同様に、負極端子部５２にバスバ３７０（又は第２外部接続端子７２）を着脱する際に、負極外部端子部材５１と封口蓋１１との間のシール、あるいは、負極内部端子部材６１と封口蓋１１との間のシールが不十分となる不具合を防止できる。かくして、本変形形態１にかかる車両３００は、信頼性の高い車両とすることができる。
【０１０９】
（実施形態４）
また、本実施形態４のハンマードリル４００は、前述の組電池１００を含むバッテリパック４１０を搭載したものであり、図１６に示すように、バッテリパック４１０、本体４２０を有する電池搭載機器である。なお、バッテリパック４１０はハンマードリル４００の本体４２０のうち底部４２１に可能に収容されている。
【０１１０】
このため、本実施形態４にかかるハンマードリル４００は、組電池１００の正極端子部３２にバスバ１７０、又は第１外部接続端子７１を着脱する際に、正極外部端子部材３１と電池ケース１０の封口蓋１１との間のシール、あるいは、正極外部端子部材３１が接続する正極内部端子部材４１と封口蓋１１との間のシールが不十分となる不具合を防止できる。さらに、負極側も同様に、負極端子部５２にバスバ１７０、又は第２外部接続端子７２を着脱する際に、負極外部端子部材５１と封口蓋１１との間のシール、あるいは、負極内部端子部材６１と封口蓋１１との間のシールが不十分となる不具合を防止できる。
かくしてこのハンマードリル４００を、信頼性の高い電池搭載機器とすることができる。
【０１１１】
また、このハンマードリル４００は、前述の通り、兼用部材ＣＭである移動制限部材１２０を備えた組電池１００を搭載するので、安価な組電池１００を搭載した安価な電池搭載機器とすることができる。
また、ハンマードリル４００が搭載する組電池１００では、兼用部材ＣＭが移動制限部材１２０と離間絶縁部材ＳＭとを兼ねる構成である。このため、この組電池１００において、正極端子部３１にバスバ１７０又は第１外部接続端子７１を、或いは、負極端子部５１にバスバ１７０又は第２外部接続端子７２を着脱する際に、移動制限部材１２０が外れる等の不具合を生じ難くしたハンマードリル４００とすることができる。
【０１１２】
以上において、本発明を実施形態１，２，３，４及び変形形態１に即して説明したが、本発明は上記実施形態に限定されるものではなく、その要旨を逸脱しない範囲で、適宜変更して適用できることは言うまでもない。
例えば、実施形態１等では、電池１をリチウムイオン二次電池としたが、これ以外の二次電池、例えば、ニッケル水素二次電池、ニッケルカドミウム二次電池等に適用しても良い。また、一次電池に適用しても良い。さらに、実施形態１等では、電池１の電池ケース１０を矩形形状の電池ケースとしたが、端子形成面の上方に第１電極端子部材及び第２電極端子部材を有する電池ケース、例えば、一部に端子形成面を含む円筒形状等の電池ケースとしても良い。
【０１１３】
また、実施形態１等では、移動制限部材２０を絶縁性樹脂からなるものとしたが、第１電極端子部材、第２電極端子部材及び端子形成部と絶縁可能な、例えば、絶縁セラミックスや、絶縁皮膜でコートされた金属材を用いても良い。
また、実施形態１等では、移動制限部材２０の形態について、第１，第２端子絶縁部材を挟むように近接あるいは当接して、これと係合する第１，第２係合部を有する形態とした。但し、移動制限部材自身の移動を許容しうる範囲の大きさや、その移動を許容する方向、第１端子絶縁部材や第２端子絶縁部材の寸法公差、などに応じて適宜の形態としても良い。
【０１１４】
例えば具体的には、第１端子絶縁部材５３６及び第２端子絶縁部材５５６に、両者間を結ぶ方向に突出する突起ＴＰをそれぞれ形成しておく。一方、移動制限部材５２０を、これらの突起に嵌り合う凹部を形成した形態としたものが挙げられる（図１７参照）。またこれと逆に、第１端子絶縁部材６３６と第２端子絶縁部材６５６に、凹部を形成しておき、移動制限部材６２０を、第１端子絶縁部材６３６と第２端子絶縁部材６５６の凹部に嵌り合う突起ＴＰを形成した形態としたものが挙げられる（図１８参照）。さらに、その突起の形状を図１７及び図１８に示す矩形四角形状のほかに、例えば、三角形状（図１９参照）や五角形状等の多角形状としても良い。
【０１１５】
また、実施形態１等では、第１電極端子部材及び第２電極端子部材について、それらの全部を、端子形成面の上方に配置してなるものとした。即ち、正極外部端子部材３１をなす正極端子部３２と正極連結版３３、及び、負極外部端子部材５１をなす負極端子部５２と負極連結板５３は、いずれも封口蓋１１の蓋外表面１１Ｆの上方に位置する。しかし、第１電極端子部材を、例えば、第１端子部のほかに、これと一体に構成され、且つ電池ケース内に位置する部分を備えるもの、つまり、電池ケース内から延出して、一部が端子形成面の上方に配置されて第１端子部となっているものとしても良い。
【図面の簡単な説明】
【０１１６】
【図１】実施形態１にかかる電池の斜視図である。
【図２】実施形態１にかかる電池の断面図（図１のＡ−Ａ部）である。
【図３】実施形態１にかかる電池の拡大説明図（図２のＢ部）である。
【図４】実施形態１にかかる電池の拡大説明図（図２のＣ部）である。
【図５】実施形態１の移動制限部材の斜視図である。
【図６】実施形態１にかかる電池の製造工程の説明図である。
【図７】実施形態１にかかる電池の製造工程の説明図である。
【図８】実施形態１にかかる電池の製造工程の説明図である。
【図９】実施形態２にかかる組電池の斜視図である。
【図１０】実施形態２にかかる組電池の断面図（図９のＤ−Ｄ部）である。
【図１１】実施形態２の電池の斜視図である。
【図１２】実施形態２にかかる組電池の製造工程の説明図である。
【図１３】実施形態２にかかる組電池の製造工程の説明図である。
【図１４】実施形態３，変形形態１にかかる車両の説明図である。
【図１５】変形形態１にかかる車両の説明図である。
【図１６】実施形態４にかかるハンマードリルの説明図である。
【図１７】変形形態にかかる電池の説明図である。
【図１８】変形形態にかかる電池の説明図である。
【図１９】変形形態にかかる電池の説明図である。
【符号の説明】
【０１１７】
１  電池
１０  電池ケース
１０Ｊ  第１電池ケース（自己電池ケース）
１０Ｋ  第２電池ケース（隣在電池ケース）
１１  封口蓋（端子形成部）
１１Ｆ  蓋外表面（端子形成面）
２０，５２０，６２０，７２０  移動制限部材
３１  正極外部端子部材（第１電極端子部材）
３２  正極端子部（第１端子部）
３２Ｂ  正極雄ねじ部（第１雄ねじ部）
３６，５３６，６３６，７３６  第１端子絶縁部材
５１  負極外部端子部材（第２電極端子部材）
５２  負極端子部（第２端子部）
５２Ｂ  負極雄ねじ部（第２雄ねじ部）
５６，５５６，６５６，７５６  第２端子絶縁部材
７１  第１外部接続端子
７２  第２外部接続端子
１００  組電池
１０１  電池
１０１Ｊ  第１電池（自己電池）
１０１Ｋ  第２電池（隣在電池）
１２０  移動制限部材（離間絶縁部材，兼用部材）
１２０Ｍ  第１移動制限部材（離間絶縁部材，兼用部材）
１２０Ｎ  第２移動制限部材（離間絶縁部材，兼用部材）
１７０，３７０  バスバ（第１外部接続端子，第２外部接続端子）
２００，３００  車両
４００  ハンマードリル（電池搭載機器）
ＡＸ１  第１軸線
ＡＸ２  第２軸線
ＢＷ  流通路
ＣＭ  兼用部材
ＳＭ  離間絶縁部材
【図１】
0005146065.tif 000002
【図２】
0005146065.tif 000003
【図３】
0005146065.tif 000004
【図４】
0005146065.tif 000005
【図５】
0005146065.tif 000006
【図６】
0005146065.tif 000007
【図７】
0005146065.tif 000008
【図８】
0005146065.tif 000009
【図９】
0005146065.tif 000010
【図１０】
0005146065.tif 000011
【図１１】
0005146065.tif 000012
【図１２】
0005146065.tif 000013
【図１３】
0005146065.tif 000014
【図１４】
0005146065.tif 000015
【図１５】
0005146065.tif 000016
【図１６】
0005146065.tif 000017
【図１７】
0005146065.tif 000018
【図１８】
0005146065.tif 000019
【図１９】
0005146065.tif 000020